(57)【要約】【課題】送信される無線信号と局部発振信号および不要抑圧信号の各レベルを精度よく制御できると共に、受信側の周波数変換効率を高めて無線伝送距離を拡大でき、無線伝送帯域幅を拡大できるマイクロ波帯無線送信装置およびマイクロ波帯無線受信装置を提供する。【解決手段】基準信号付加・周波数多重回路２によって基準信号が付加された中間周波数多重信号７１dを生成し、その中間周波数多重信号７１dを、周波数変換・送信回路３によりミリ波帯に周波数アップコンバートして得た無線多重信号７２を送信する。受信された無線多重信号７３を周波数変換・受信回路１１により周波数ダウンコンバートして得た中間周波数多重信号７４から基準信号を抽出して、ＩＦ増幅・基準信号再生・周波数分離回路１２によって、その基準信号で中間周波数多重信号７４に含まれる中間周波数信号を周波数ダウンコンバートして複数の入力変調波信号を再生成する。【選択図】図１
2005039762.tif 000002
【特許請求の範囲】
【請求項１】
複数の入力変調波信号を中間周波数帯に変換して周波数軸上に配列し、その周波数軸上に配列された信号に基準信号を付加することにより中間周波数多重信号を生成する周波数配列手段と、
上記周波数配列手段により生成された上記中間周波数多重信号をマイクロ波帯に周波数アップコンバートする送信側周波数変換手段と、
上記送信側周波数変換手段によりマイクロ波帯に周波数アップコンバートされた多重信号を無線多重信号として送信する送信手段とを備えたことを特徴とするマイクロ波帯無線送信装置。
【請求項２】
請求項１に記載のマイクロ波帯無線送信装置において、
上記周波数配列手段において上記周波数軸上に配列された信号に付加する上記基準信号の電力レベルを制御するレベル制御手段を備えたことを特徴とするマイクロ波帯無線送信装置。
【請求項３】
請求項１に記載のマイクロ波帯無線送信装置において、
上記送信側周波数変換手段にＮ次高調波ミキサ(Ｎは２以上の整数)を用いたことを特徴とするマイクロ波帯無線送信装置。
【請求項４】
請求項１に記載のマイクロ波帯無線送信装置において、
上記周波数配列手段は、
上記基準信号を局部発振信号として上記複数の入力変調波信号を中間周波数帯に周波数アップコンバートして中間周波数信号を夫々生成する複数の中間周波数変換手段と、
上記複数の中間周波数変換手段により生成された複数の中間周波数信号を周波数軸上に配列して、その周波数軸上に配列された信号に上記基準信号を付加することによって上記中間周波数多重信号を生成する多重信号生成手段とを有することを特徴とするマイクロ波帯無線送信装置。
【請求項５】
請求項４に記載のマイクロ波帯無線送信装置において、
上記多重信号生成手段は、上記複数の中間周波数変換手段の局部発振信号入力端子から出力端子側に漏れる漏れ信号を上記基準信号として用いたことを特徴とするマイクロ波帯無線送信装置。
【請求項６】
請求項４に記載のマイクロ波帯無線送信装置において、
上記周波数配列手段は、上記複数の中間周波数変換手段により周波数アップコンバートされた中間周波数信号を上記基準信号に対する下側波帯と上側波帯として周波数軸上に配列したことを特徴とするマイクロ波帯無線送信装置。
【請求項７】
請求項１乃至６のいずれか１つに記載のマイクロ波帯無線送信装置から送信された無線多重信号を受信する受信手段と、
上記受信手段により受信された無線多重信号を中間周波数帯に周波数ダウンコンバートする第１の受信側周波数変換手段と、
上記第１の受信側周波数変換手段により変換された中間周波数多重信号の中から基準信号と所望の中間周波数信号を抽出するフィルタ手段と、
上記フィルタ手段により抽出された上記基準信号により、上記所望の中間周波数信号を周波数ダウンコンバートすることにより、送信側で入力された上記複数の入力変調波信号のうちの少なくとも１つを再生成する第２の受信側周波数変換手段を備えたことを特徴とするマイクロ波帯無線受信装置。
【請求項８】
請求項１乃至６のいずれか１つに記載のマイクロ波帯無線送信装置から送信された無線多重信号を受信する受信手段と、
上記受信手段により受信された無線多重信号を中間周波数帯に周波数ダウンコンバートする第１の受信側周波数変換手段と、
上記第１の受信側周波数変換手段により周波数ダウンコンバートされた中間周波数多重信号から、送信側で付加された上記基準信号を抽出するフィルタ手段と、
上記フィルタ手段により抽出された上記基準信号で上記中間周波数多重信号に含まれる信号を周波数ダウンコンバートすることにより、送信側で入力された上記複数の入力変調波信号を再生成する第２の受信側周波数変換手段を備えたことを特徴とするマイクロ波帯無線受信装置。
【請求項９】
請求項７または８に記載のマイクロ波帯無線受信装置において、
上記第１の受信側周波数変換手段にＮ次高調波ミキサ(Ｎは２以上の整数)を用いたことを特徴とするマイクロ波帯無線受信装置。
【請求項１０】
請求項７または８に記載のマイクロ波帯無線受信装置において、
上記フィルタ手段により抽出された上記基準信号を増幅する増幅手段を備え、
上記第２の受信側周波数変換手段は、上記増幅手段により増幅された上記基準信号で上記中間周波数多重信号に含まれる信号を周波数ダウンコンバートすることを特徴とするマイクロ波帯無線受信装置。
【請求項１１】
請求項８乃至１０のいずれか１つに記載のマイクロ波帯無線受信装置において、
上記フィルタ手段は、上記第１の受信側周波数変換手段により周波数ダウンコンバートされた上記中間周波数多重信号を、基準信号と複数の中間周波数信号に分波し、
上記第２の受信側周波数変換手段は、上記基準信号で上記複数の中間周波数信号を夫々周波数ダウンコンバートすることにより、送信側で入力された上記複数の入力変調波信号を再生成することを特徴とするマイクロ波帯無線受信装置。
【請求項１２】
請求項８乃至１０のいずれか１つに記載のマイクロ波帯無線受信装置において、
上記フィルタ手段は、上記第１の受信側周波数変換手段により周波数ダウンコンバートされた上記中間周波数信号を、基準信号とその基準信号に対する上側波帯としての中間周波数信号および上記基準信号に対する下側波帯としての中間周波数信号に分波し、
上記第２の受信側周波数変換手段は、上記基準信号で上記上側波帯としての中間周波数信号および上記下側波帯としての中間周波数信号を夫々周波数ダウンコンバートすることを特徴とするマイクロ波帯無線受信装置。
【請求項１３】
請求項７に記載のマイクロ波帯無線受信装置において、
上記フィルタ手段は、上記第１の受信側周波数変換手段により周波数ダウンコンバートされた上記中間周波数多重信号の中から、上記複数の中間周波数信号の夫々と上記基準信号との組み合わせのうちの少なくとも１つの複合信号を抽出し、
上記第２の受信側周波数変換手段は、上記複合信号中の基準信号でその複合信号に含まれる中間周波数信号を周波数ダウンコンバートすることにより、送信側で入力された上記複数の入力変調波信号のうちの少なくとも１つを再生成することを特徴とするマイクロ波帯無線受信装置。
【請求項１４】
請求項７に記載のマイクロ波帯無線受信装置において、
上記フィルタ手段は、上記第１の受信側周波数変換手段により周波数ダウンコンバートされた上記中間周波数信号を、基準信号とその基準信号に対する上側波帯としての中間周波数信号とを組み合わせた上側波複合信号を抽出すると共に、上記基準信号に対する下側波帯としての中間周波数信号とを組み合わせた下側波複合信号を抽出し、
上記第２の受信側周波数変換手段は、上記上側波複合信号に含まれている基準信号で上記上側波帯としての中間周波数信号を周波数ダウンコンバートすると共に、上記下側波複合信号に含まれている基準信号で上記下側波帯としての中間周波数信号を周波数ダウンコンバートすることを特徴とするマイクロ波帯無線受信装置。
【請求項１５】
請求項７及至１４のいずれか１つに記載のマイクロ波帯無線受信装置を複数台用いたマイクロ波帯無線通信システムであって、
上記複数台のマイクロ波帯無線受信装置が電子機器に接続され、
上記複数台のマイクロ波帯無線受信装置からのそれぞれの出力が合成されて上記電子機器に入力されることを特徴とすることをマイクロ波帯無線通信システム。
【請求項１６】
請求項１５に記載のマイクロ波帯無線通信システムにおいて、
上記複数台のマイクロ波帯無線受信装置からのそれぞれの出力が同じ長さの出力線を介して合成されることを特徴とすることをマイクロ波帯無線通信システム。
【請求項１７】
請求項１６に記載のマイクロ波帯無線通信システムにおいて、
上記複数台のマイクロ波帯無線受信装置に、上記出力線を介して直流電圧が夫々供給されることを特徴とすることをマイクロ波帯無線通信システム。
【請求項１８】
請求項１７に記載のマイクロ波帯無線通信システムにおいて、
上記直流電圧が、上記複数のマイクロ波帯無線受信装置が接続された上記電子機器から供給されることを特徴とすることをマイクロ波帯無線通信システム。
【請求項１９】
請求項１乃至６のいずれか１つに記載のマイクロ波帯無線送信装置または請求項７乃至１４のいずれか１つに記載のマイクロ波帯無線受信装置の少なくとも１つを備えたことを特徴とするマイクロ波帯無線通信システム。
【請求項２０】
請求項１乃至６のいずれか１つに記載のマイクロ波帯無線送信装置または請求項７乃至１４のいずれか１つに記載のマイクロ波帯無線受信装置の少なくとも１つを備えたことを特徴とする電子機器。
【請求項２１】
請求項２０に記載の電子機器において、
ハードディスクレコーダまたはＤＶＤレコーダとデジタルテレビジョンチューナを搭載したことを特徴とする電子機器。
【請求項２２】
請求項２０または２１に記載の電子機器において、
小型で持ち運び可能な携帯機器であることを特徴とする電子機器。
【発明の詳細な説明】
【技術分野】
【０００１】
この発明は、マイクロ波帯無線送信装置およびマイクロ波帯無線受信装置およびマイクロ波帯無線通信システムおよび電子機器に関し、特に、複数の放送波をマイクロ波帯で無線伝送するマイクロ波帯無線送信装置およびマイクロ波帯無線受信装置およびマイクロ波帯無線通信システムおよび電子機器に関する。
【背景技術】
【０００２】
従来、マイクロ波帯無線通信システムとしては、図１３に示すように、高周波無線送信装置および高周波無線受信装置を備えたものがある(例えば、特開２００１−５３６４０号公報(特許文献１)参照)。ここでマイクロ波帯とは、ミリ波帯を含む周波数帯域をいう。
【０００３】
上記高周波無線送信装置は、ＩＦ変調信号源１０００により変調された中間周波数信号１０８０a(周波数fIF)が生成され、ミリ波帯局部発振器１０５０により局部発振信号１０６０b(周波数fLO)が生成され、その局部発振信号１０６０b(周波数fLO)を用いて中間周波数信号１０８０aを周波数変換器１００１により周波数アップコンバートする。そうして、周波数アップコンバートされた無線信号１０７０(周波数fRF)を高周波帯のバンドパスフィルタ１０２０により取り出すと共に、信号合成器１１４０により局部発振信号１０６０bと多重化し、局部発振信号１０６０b(周波数fLO)と無線信号１０７０を送信用増幅器１００３により適当なレベルまで増幅して送信アンテナ１５００により放射する。
【０００４】
そして、受信側の高周波無線受信装置では、無線信号１０７０と局部発振信号１０６０bを受信アンテナ２０００により受信し、低雑音増幅器１１１０で適当なレベルまで増幅する。上記低雑音増幅器１１１０で増幅された信号は、２分配され、バンドパスフィルタ１２００により無変調キャリアを濾波し、注入同期発振器１４００(または単一同調増幅器)で無変調キャリアを再生し、上記キャリアと無線変調信号を乗算器１３００によりＩＦ帯変調波信号１０８０bを得て、中間周波数帯復調回路１３１０で復調される。
【０００５】
ところが、上記マイクロ波帯無線通信システムでは、次のような問題がある。
【０００６】
(１)  送信側において、ミリ波帯で基準信号と合成して多重信号を生成しており、ミリ波帯での周波数配置関係が一意的に決まってしまうため、高周波局部発振信号(周波数fLO)と無線信号(周波数fRF)および不要片側波帯信号の出力レベルの厳密なコントロールが困難である。加えて単一の変調信号源にしか対応できない。
【０００７】
(２)  送信側において、局部発振信号を直接、無線周波数帯で生成かつ合成する構成のため、とくにミリ波帯の無線周波数帯と略同等な周波数の局部発振信号を生成することが必要であり、ミリ波帯の発振波を生成することが困難である。
【０００８】
(３)  受信側の周波数ダウンコンバートにおいて、受信増幅した信号をそのままミリ波帯のバンドパスフィルタ(帯域濾波器)で帯域濾波し、注入同期発振器(または単一同調増幅器)により無変調キャリア信号を生成する構成のため、バンドパスフィルタの急峻度を十分とることができず、無変調キャリア信号成分のみならず無線変調信号成分が含まれてしまい、乗算器による周波数ダウンコンバートの周波数変換効率が悪くなり、伝送距離が短くなるという問題がある。
【０００９】
(４)  受信側で、一端ミリ波増幅器で増幅した後、無線変調信号の方は、バンドパスフィルタで濾波されることなく乗算器に入力する構成のため、無変調キャリア信号も直接乗算器に入力されてしまい、乗算器が歪みやすくなり、効率的な周波数変換(周波数ダウンコンバート)ができず、伝送距離が短くなるという問題がある。
【００１０】
(５)  さらに、受信側で、アンテナからのバンドパスフィルタの通過帯域以外の不要波信号の進入に対する防御能力を持たず、著しく雑音に弱いという問題がある。
【００１１】
(６)  受信側の周波数ダウンコンバートにおいて、受信増幅した信号をそのままミリ波帯の帯域濾波し、無変調キャリアを再生する注入同期発振器(または単一同調増幅器)からの信号と無線変調信号で周波数変換(乗算)して、ＩＦ変調信号を得る構成であり、ミリ波帯の低雑音増幅器だけでは、周波数が高いため、トランジスタの性能およびＩＣのアイソレーションの点から十分な利得を得るのが難しくて、受信装置としての十分な変換利得を得ることができず、無線伝送距離を確保することが困難である。
【００１２】
(７)  受信側に無変調信号を再生するための注入同期発振器(または単一同調増幅器)は、周波数が高いために十分な(同期)利得を得ることができず、同期はずれが生じたり乗算器を十分駆動させるための無変調キャリア信号のレベルを確保して安定動作させることが困難である。
【００１３】
とりわけ上記(１)の課題については、中間周波数信号１０８０aを高周波帯の無線信号１０７０に周波数アップコンバートするために使用する局部発振信号１０６０bを信号合成器１１４０で直接加算し、無線信号１０７０と局部発振信号１０６０bの送信波である無線多重信号１１５０を生成しているが、この場合、無線信号１０７０の周波数fRFと中間周波数信号１０８０aの周波数は、入力変調波信号の周波数fIF１０８０aが定まれば、局部発振周波数fLOの関係は一意的に決まってしまう関係にある。上記無線信号１０７０(周波数fRF)は、無線周波数帯で、電波法上の問題で任意に設定することが困難であり、中間周波数信号１０８０aのＩＦ周波数帯が、例えば、ＴＶ信号の周波数等であれば、すでに決まった周波数となっており、通常０.１ＧＨz〜２ＧＨz程度が使用されている。
【００１４】
図１４は、上記従来のマイクロ波帯無線通信システムの周波数スペクトラムの関係を示している。図１４に示すように、無線周波数fRF(＝fLO＋fIFまたはfLO−fIF)により、無線周波数fRFと中間周波数fIFが固定されてしまうと、局部発振周波数fLOを自由に設定することができない。また、局部発振信号１０６０b(周波数fLO)も送信信号となるため、無線信号１０７０(周波数fRF)と同時に、局部発振信号１０６０b(周波数fLO)の方も正確にレベルコントロールする必要がある。さらに、無線多重信号１１５０は、通常、片側波帯信号(例えば上側波帯)を無線信号１０７０(周波数fRF)として使用する場合、下側波帯fLO−fIF成分は不要信号になり、バンドパスフィルタ１０２０(図１３に示す)により抑圧する必要がある。
【００１５】
しかしながら、中間周波数信号１０８０a(周波数fIF)が、ＵＨＦ帯の周波数(例えば、fIF＝０.５ＧＨz〜１.０ＧＨz)である場合、無線信号の周波数をミリ波帯(例えばfRF＝６０.０ＧＨz〜６０.５ＧＨz)とすると、図１４に示すように、fLO＋fIF成分,fLO成分,fLO−fIF成分は、夫々、６０ＧＨz〜６０.５ＧＨz、５９ＧＨz、５８.０ＧＨz〜５８.５ＧＨzとなり、お互いの周波数間隔が近づいてしまい、本周波数帯で、通常のミリ波帯バンドパスフィルタ(平面回路フィルタや導波管フィルタ)では、不要信号である下側波帯信号のfLO−fIF信号を抑圧することが困難であり、さらに、上記局部発振周波数fLOもミリ波帯バンドパスフィルタの減衰帯域に入ってしまい、レベルを一定に制御することが極めて困難である。
【００１６】
また、上記(２)の課題として、局部発振信号１０６b(周波数fLO)である５９ＧＨｚの成分を直接生成することは非常に困難である。
【００１７】
さらに、上記マイクロ波帯無線通信システムでは、複数の変調波信号(例えば複数の放送波)に対応できるように無線伝送帯域幅を拡大することができないという問題がある。
【特許文献１】特開２００１−５３６４０号公報
【発明の開示】
【発明が解決しようとする課題】
【００１８】
そこで、この発明の目的は、送信される無線信号と局部発振信号および不要抑圧信号の各レベルを精度よく制御できると共に、無線伝送帯域幅を拡大して複数の変調波信号の通信に対応できるマイクロ波帯無線送信装置を提供することにある。
【００１９】
また、この発明のもう１つの目的は、受信側の周波数変換効率を高めて無線伝送距離を拡大でき、不要波に対する防御能力をもたせつつ、無線伝送帯域幅を拡大して複数の変調波信号の通信に対応できるマイクロ波帯無線受信装置を提供することにある。
【００２０】
また、この発明のもう１つの目的は、上記マイクロ波帯無線送信装置および上記マイクロ波帯無線受信装置において、簡単な構成で局部発振器の発振周波数を低くでき、安定した動作ができるマイクロ波帯無線送信装置およびマイクロ波帯無線受信装置を提供することにある。
【００２１】
また、この発明のもう１つの目的は、上記マイクロ波帯無線送信装置または上記マイクロ波帯無線受信装置の少なくとも一方を用いたマイクロ波帯無線通信システムおよび電子機器を提供することにある。
【課題を解決するための手段】
【００２２】
上記目的を達成するため、この発明のマイクロ波帯無線送信装置は、複数の入力変調波信号を中間周波数帯に変換して周波数軸上に配列し、その周波数軸上に配列された信号に基準信号を付加することにより中間周波数多重信号を生成する周波数配列手段と、上記周波数配列手段により生成された上記中間周波数多重信号をマイクロ波帯に周波数アップコンバートする送信側周波数変換手段と、上記送信側周波数変換手段によりマイクロ波帯に周波数アップコンバートされた多重信号を無線多重信号として送信する送信手段とを備えた構成とする。
【００２３】
上記構成のマイクロ波帯無線送信装置によれば、複数の入力変調波信号を周波数軸上に配列して多重化することにより、伝送帯域幅を拡大することが可能となると共に、マイクロ波帯(ミリ波帯を含む)に周波数アップコンバートする前の中間周波数帯の段階で付加する基準信号と多重化された変調波信号のレベル比を制御することが可能となる。このため、マイクロ波帯に周波数アップコンバータされて付加される基準信号と多重化された変調波信号のレベルとの比を制御でき、ほぼ一定に決めることができる。
【００２４】
したがって、送信される無線信号と局部発振信号および不要抑圧信号の各レベルを精度よく制御できると共に、無線伝送帯域幅を拡大して複数の変調波信号の通信に対応できるマイクロ波帯無線送信装置を実現できる。
【００２５】
また、一実施形態のマイクロ波帯無線送信装置は、上記マイクロ波帯無線送信装置において、上記周波数配列手段において上記周波数軸上に配列された信号に付加する上記基準信号の電力レベルを制御するレベル制御手段を備えた構成とする。
【００２６】
上記実施形態のマイクロ波帯無線送信装置によれば、中間周波数配列時に、電力レベルが制御された基準信号を付加することにより、所望信号の中間周波数とレベル制御された基準波で中間周波多重信号を生成することができるため、マイクロ波帯(ミリ波帯を含む)に周波数アップコンバートする前の中間周波数帯の段階で付加信号と多重化された変調波信号のレベル比を制御することが可能となる。このため、マイクロ波帯に周波数アップコンバータされた付加信号と多重化された変調波信号のレベルとの比をほぼ一定に決めることができ、無線伝送される無線多重信号中の基準信号と所望信号のレベル比が最適比になるようにコントロールすることができる。このため、受信側において、所望信号を基準信号で周波数ダウンコンバートする第２の周波数ダウンコンバート(検波)時の周波数変換効率(受信感度)を高くすることができる。
【００２７】
また、一実施形態のマイクロ波帯無線送信装置は、上記送信側周波数変換手段にＮ次高調波ミキサ(Ｎは２以上の整数)を用いた構成とする。
【００２８】
上記実施形態のマイクロ波帯無線送信装置によれば、Ｎ次高調波ミキサを使用しているため、無線多重信号に周波数アップコンバートするための局部発振周波数は、無線多重信号の周波数帯の周波数の約１／Ｎ(Ｎは２以上の整数)となり、局部発振器の発振周波数を低くすることができる。そのため安定した送信装置を簡易に製作することができる。
【００２９】
また、一実施形態のマイクロ波帯無線送信装置は、上記周波数配列手段は、上記基準信号を局部発振信号として上記複数の入力変調波信号を中間周波数帯に周波数アップコンバートして中間周波数信号を夫々生成する複数の中間周波数変換手段と、上記複数の中間周波数変換手段により生成された複数の中間周波数信号を周波数軸上に配列して、その周波数軸上に配列された信号に上記基準信号を付加することによって上記中間周波数多重信号を生成する多重信号生成手段とを有する構成とする。
【００３０】
上記実施形態のマイクロ波帯無線送信装置によれば、基準信号の付加と同時に、周波数変換のための局部発振信号源となり、上記基準信号と周波数アップコンバートされた中間周波数信号は同期しているため、受信側において上記基準信号を抽出することによって、送信側で入力された本来の入力変調波信号を再生することが可能となる。加えて、上記送信側での周波数配列手段が基準信号を局部発振器の局部発振源として周波数アップコンバートして、より周波数の高い中間周波数帯の広い周波数帯域に各中間周波数信号を配列するため、伝送帯域幅を広くできると共に、マイクロ波帯送信周波数に最終的に周波数アップコンバートする前に、一端、より周波数の高い中間周波数帯域で周波数配列と基準信号付加をして中間周波数多重信号を構成している。このことがマイクロ波帯に周波数アップコンバートした後において、不要片側波信号と所望とする片側波帯信号と所望信号の周波数間隔を広くすることができ、送信段のバンドパスフィルタで容易に抑圧することが可能となる。
【００３１】
また、一実施形態のマイクロ波帯無線送信装置は、上記多重信号生成手段は、上記複数の中間周波数変換手段の局部発振信号入力端子から出力端子側に漏れる漏れ信号を上記基準信号として用いた構成とする。
【００３２】
上記実施形態のマイクロ波帯無線送信装置によれば、上記中間周波数変換手段の漏れ信号がそのまま基準信号となるため、別途基準信号付加回路を必要とせず、送信回路を簡略化することができる。
【００３３】
また、一実施形態のマイクロ波帯無線送信装置は、上記周波数配列手段は、上記複数の中間周波数変換手段により周波数アップコンバートされた中間周波数信号を上記基準信号に対する下側波帯と上側波帯として周波数軸上に配列した構成とする。
【００３４】
上記実施形態のマイクロ波帯無線送信装置によれば、上記中間周波数多重信号を中間周波数帯に生成し、その入力変調波信号を基準信号に対する下側波帯と上側波帯として周波数軸上に配列することによって、１段の中間周波数変換で周波数多重信号を生成できる。また、受信側の中間周波数帯に周波数ダウンコンバートする段階において、再生された基準信号を用いて送信側の複数の入力変調波信号を再生するとき、一度の周波数変換で変換できるため、送受信装置の構成を著しく容易にすることができる。
【００３５】
この発明のマイクロ波帯受信装置は、上記マイクロ波帯無線送信装置から送信された無線多重信号を受信する受信手段と、上記受信手段により受信された無線多重信号を中間周波数帯に周波数ダウンコンバートする第１の受信側周波数変換手段と、上記第１の受信側周波数変換手段により変換された中間周波数多重信号の中から基準信号と所望の中間周波数信号を抽出するフィルタ手段と、上記フィルタ手段により抽出された上記基準信号により、上記所望の中間周波数信号を周波数ダウンコンバートすることにより、送信側で入力された上記複数の入力変調波信号のうちの少なくとも１つを再生成する第２の受信側周波数変換手段を備えた構成とする。
【００３６】
上記構成のマイクロ波帯無線受信装置によれば、上記第１の受信側周波数変換手段により一端マイクロ波帯から中間周波数帯のより低い周波数に周波数ダウンコンバートする。そうして得られた中間周波数多重信号の中からフィルタ手段によって送信側で付加された基準信号と所望信号を抽出する。これはより低い周波数では、材料・物性の誘電損失が上昇して高いＱ値を有するバンドパスフィルタが構成可能となり、それにより得られる低損失で急峻度の高いバンドパスフィルタを用いて、上記基準信号と所望信号のみを抽出することによって、不要波信号や妨害信号を除去したあと、上記基準信号成分と中間周波数信号成分が、マイクロ波トランジスタ等の非線型デバイスで周波数ダウンコンバートされるが、不要波信号や妨害波信号が少なくかつ純度の高い状態で送信側の入力変調波信号を再生成することができる。
【００３７】
加えて、送信側の上記中間周波数から送信無線周波数であるマイクロ波帯に周波数アップコンバートに用いた局部発振器の周波数変動や位相雑音の影響や、受信側において、無線多重信号を受信し、マイクロ波帯から第１の受信側周波数変換するとき、送信側で中間周波数帯に周波数アップコンバートするときに用いた局部発振器および受信側で第１の周波数変換時の局部発振の周波数変動や位相雑音の影響は、上記フィルタ手段により抽出された基準信号と所望信号の両方の信号中に含まれているため、上記抽出された基準信号で中間周波数多重信号に含まれる信号を、第２の受信側周波数変換手段により周波数ダウンコンバートすることにより、局部発振器の周波数変動や位相雑音の影響をキャンセルすることができる。
【００３８】
また、この発明のマイクロ波帯無線受信装置は、上記マイクロ波帯無線送信装置から送信された無線多重信号を受信する受信手段と、上記受信手段により受信された無線多重信号を中間周波数帯に周波数ダウンコンバートする第１の受信側周波数変換手段と、上記第１の受信側周波数変換手段により周波数ダウンコンバートされた中間周波数多重信号から、送信側で付加された上記基準信号を抽出するフィルタ手段と、上記フィルタ手段により抽出された上記基準信号で上記中間周波数多重信号に含まれる信号を周波数ダウンコンバートすることにより、送信側で入力された上記複数の入力変調波信号を再生成する第２の受信側周波数変換手段を備えた構成とする。
【００３９】
上記構成のマイクロ波帯無線受信装置によれば、上記第１の受信側周波数変換手段により一端マイクロ波帯から中間周波数帯のより低い周波数に周波数ダウンコンバートする。そうして得られた中間周波数多重信号の中からフィルタ手段によって送信側で付加された基準信号を抽出する。これはより低い周波数では、材料・物性の誘電損失が上昇して高いＱ値を有するバンドパスフィルタが構成可能となり、それにより得られる低損失で急峻度の高いバンドパスフィルタを用いて、上記基準信号のみを抽出することによって、不要波信号の少ない基準信号を得ることができる。
【００４０】
加えて、送信側の上記中間周波数から送信無線周波数であるマイクロ波帯に周波数アップコンバートに用いた局部発振器の周波数変動や位相雑音の影響や、受信側において、無線多重信号を受信し、マイクロ波帯から第１の受信側周波数手段で中間周波数帯に周波数アップコンバートするときに用いた局部発振器の周波数変動や位相雑音の影響は、上記抽出された基準信号と所望信号の両方の信号中に含まれているため、上記抽出された基準信号で中間周波数多重信号に含まれる信号を第２の受信側周波数変換手段により周波数アップコンバートを行うことにより、局部発振器の周波数変動や位相雑音の影響をキャンセルすることができる。
【００４１】
加えて、第１の受信側周波数変換手段による周波数変換の後に、中間周波数信号を増幅することが可能となり、受信側の周波数変換利得を高くできる通常のヘテロダイン構成と同等な効果も得ることができる。
【００４２】
したがって、結果的に送信側で入力された上記複数の入力変調波信号を低雑音でかつ高い周波数変換効率で再生成することが可能となり、無線伝送距離を拡大することができると共に、不要波に対する防御能力をもたせつつ、無線伝送帯域幅を拡大して複数の変調波信号の通信に対応できるマイクロ波帯無線受信装置を実現できる。
【００４３】
また、一実施形態のマイクロ波帯無線受信装置は、上記第１の受信側周波数変換手段にＮ次高調波ミキサ(Ｎは２以上の整数)を用いた構成とする。
【００４４】
上記実施形態のマイクロ波帯無線受信装置によれば、Ｎ次高調波ミキサを使用しているため、無線多重信号に周波数ダウンコンバートするための局部発振周波数は、無線多重信号の周波数帯の周波数の約１／Ｎ(Ｎは２以上の整数)となり、局部発振器の発振周波数を低くすることができる。それによって、安定した受信装置を簡易に製作することができる。
【００４５】
また、一実施形態のマイクロ波帯無線受信装置は、上記フィルタ手段により抽出された上記基準信号を増幅する増幅手段を備え、上記第２の受信側周波数変換手段は、上記増幅手段により増幅された上記基準信号で上記中間周波数多重信号に含まれる信号を周波数ダウンコンバートする構成とする。
【００４６】
上記実施形態のマイクロ波帯無線受信装置によれば、上記フィルタ手段により抽出された基準信号は、上記増幅手段により一端増幅されて、第２の受信側周波数変換手段のための局部発振信号となり、局部発振信号のみが強調増幅されるため、上記周波数ミキサを低変換損失で高効率で駆動させることが可能となる。加えて、送信側で周波数軸上に配列した中間周波数信号と基準信号の多重化のとき、入力変調波信号と基準信号のレベル比の厳密なコントロールに対する許容度を軽減することができ、送信側で入力信号に対して基準信号のレベル比を下げることができるため、よりパワー効率の高い無線伝送が可能となる。従って、結果的に受信側において、送信側で入力された上記複数の入力変調波信号を低雑音でかつ高い周波数変換効率で再生成することが可能となり、無線伝送距離を拡大することができるのみならず、入力変調波信号レベルを厳密にコントロールする必要が無くなり、使い勝手のよいマイクロ波帯無線通信システムを構築することができる。
【００４７】
また、一実施形態のマイクロ波帯無線受信装置は、上記フィルタ手段は、上記第１の受信側周波数変換手段により周波数ダウンコンバートされた上記中間周波数多重信号を、基準信号と複数の中間周波数信号に分波し、上記第２の受信側周波数変換手段は、上記基準信号で上記複数の中間周波数信号を夫々周波数ダウンコンバートすることにより、送信側で入力された上記複数の入力変調波信号を再生成する構成とする。
【００４８】
上記実施形態のマイクロ波帯無線受信装置によれば、上記第１の受信側周波数変換手段による周波数ダウンコンバートにより一端マイクロ波帯から中間周波数帯のより低い周波数に周波数変換することによって、中間周波数多重信号の中から上記フィルタ手段によってそれぞれ送信側で付加された基準信号と中間周波数信号に分波する。これは、より低い周波数では、材料・物性の誘電損失が上昇して高いＱ値を有するバンドパスフィルタが構成可能となり、それにより低損失で急峻度の高いバンドパスフィルタが得られ、上記基準信号と所望信号を、互いに不要波を含まずに周波数分離することができる。従って、第２の周波数変換手段により周波数ダウンコンバートするとき、送信側で入力された上記複数の入力変調波信号を純度よく再生成することができる。また、無線受信の段階で、帯域外の不要信号についても除去能力が高くなり、高品質の無線伝送が可能となる。
【００４９】
また、一実施形態のマイクロ波帯無線受信装置は、上記フィルタ手段は、上記第１の受信側周波数変換手段により周波数ダウンコンバートされた上記中間周波数信号を、基準信号とその基準信号に対する上側波帯としての中間周波数信号および上記基準信号に対する下側波帯としての中間周波数信号に分波し、上記第２の受信側周波数変換手段は、上記基準信号で上記上側波帯としての中間周波数信号および上記下側波帯としての中間周波数信号を夫々周波数ダウンコンバートする構成とする。
【００５０】
上記実施形態のマイクロ波帯無線受信装置によれば、受信側の中間周波数帯の段階において、再生された基準信号を用いて送信側の複数の入力変調波信号を再生するとき、一度の中間周波数変換で変換できるため、送受信装置の構成を著しく容易にすることができる。
【００５１】
また、一実施形態のマイクロ波帯無線受信装置は、上記フィルタ手段は、上記第１の受信側周波数変換手段により周波数ダウンコンバートされた上記中間周波数多重信号の中から、上記複数の中間周波数信号の夫々と上記基準信号との組み合わせのうちの少なくとも１つの複合信号を抽出し、上記第２の受信側周波数変換手段は、上記複合信号中の基準信号でその複合信号に含まれる中間周波数信号を周波数ダウンコンバートすることにより、送信側で入力された上記複数の入力変調波信号のうちの少なくとも１つを再生成することを構成とする。
【００５２】
上記実施形態のマイクロ波帯無線受信装置によれば、上記第１の受信側周波数変換手段による周波数ダウンコンバートにより一端マイクロ波帯から中間周波数帯のより低い周波数に周波数変換することによって、中間周波数多重信号の中から上記フィルタ手段によって、基準信号と複数の中間周波数信号を組み合わせた複合信号が抽出される。これは、より低い周波数では、材料・物性の誘電損失が上昇して高いＱ値を有するバンドパスフィルタが構成可能となり、それにより低損失で急峻度の高いバンドパスフィルタが得られ、上記基準信号と所望信号を、互いに不要波を含まずに周波数分離することができる。従って、第２の周波数変換手段で、上記複合信号中の基準信号で上記中間周波数信号を周波数ダウンコンバートするとき、送信側で入力された上記複数の入力変調波信号を純度よく再生成することができる。また、無線受信の段階で、帯域外の不要信号についても除去能力が高くなり、高品質の無線伝送が可能となる。
【００５３】
また、一実施形態のマイクロ波帯無線受信装置は、上記フィルタ手段は、上記第１の受信側周波数変換手段により周波数ダウンコンバートされた上記中間周波数信号を、基準信号とその基準信号に対する上側波帯としての中間周波数信号とを組み合わせた上側波複合信号を抽出すると共に、上記基準信号に対する下側波帯としての中間周波数信号とを組み合わせた下側波複合信号を抽出し、上記第２の受信側周波数変換手段は、上記上側波複合信号に含まれている基準信号で上記上側波帯としての中間周波数信号を周波数ダウンコンバートすると共に、上記下側波複合信号に含まれている基準信号で上記下側波帯としての中間周波数信号を周波数ダウンコンバートする構成とする。
【００５４】
上記実施形態のマイクロ波帯無線受信装置によれば、受信側の中間周波数帯の段階において、無線多重信号中の基準信号を用いて送信側の複数の入力変調波信号を再生するとき、一度の中間周波数変換で変換できるため、送受信装置の構成を著しく容易にすることができる。
【００５５】
また、この発明のマイクロ波帯無線通信システムは、マイクロ波帯無線受信装置を複数台用いたマイクロ波帯無線通信システムであって、上記複数台のマイクロ波帯無線受信装置が電子機器に接続され、上記複数台のマイクロ波帯無線受信装置からのそれぞれの出力が合成されて上記電子機器に入力されることを特徴とする構成とする。
【００５６】
上記構成のマイクロ波帯無線通信システムによれば、複数台のマイクロ波帯無線受信装置に入力される上記無線多重信号の無線伝送路の距離は異なるが、上記マイクロ波帯無線受信装置の中間周波数帯の段階、つまり基準信号再生・周波数分離段階において、再生された基準信号と中間周波数信号には、伝送距離に関し、同じ位相情報が含まれているため、第２の周波数変換手段において、上記基準信号で上記中間周数信号をダウンコンバートするとき、周波数変換された信号には、無線伝送区間には距離情報はキャンセルされてしまうため、上記複数台のマイクロ波帯無線受信装置の受信出力はマイクロ波帯無線受信装置の出力の出力線が同じであれば、同相で合成することができる。これにより、受信出力を増大させることができ、受信側の周波数変換効率を高めて無線伝送距離を拡大できること、加えて、上記マイクロ波帯無線受信装置中のアンテナ部分が人体・物体等でさえぎられても少なくとも一つのマイクロ波帯無線受信装置が送信側から、遮断されることなく信号受けていれば、所望信号を受信することができ、空間ダイバーシティ効果も得ることができる。
【００５７】
また、一実施形態では、上記複数台のマイクロ波帯無線受信装置からのそれぞれの出力が同じ長さの出力線を介して合成される構成とする。
【００５８】
また、一実施形態では、上記複数台のマイクロ波帯無線受信装置に、上記出力線を介して直流電圧が夫々供給される構成とする。
【００５９】
また、一実施形態では、上記直流電圧が、上記複数のマイクロ波帯無線受信装置が接続された上記電子機器から供給される構成とする。
【００６０】
この発明のマイクロ波帯無線通信システムは、上記マイクロ波帯無線送信装置または上記マイクロ波帯無線受信装置の少なくとも一方を備えている。
【００６１】
この発明の電子機器は、上記マイクロ波帯無線送信装置または上記マイクロ波帯無線受信装置の少なくとも一方を備えている。
【００６２】
また、一実施形態の電子機器は、ハードディスクレコーダまたはＤＶＤレコーダとデジタルテレビジョンチューナを搭載している。
【００６３】
上記実施形態の電子機器によれば、多チャンネル伝送された信号に対して裏録画しながらＴＶ視聴等が可能となる。
【００６４】
さらに、一実施形態の電子機器は、小型で持ち運び可能な携帯機器である。これによって屋内での持ち運びが可能となる。
【発明の効果】
【００６５】
以上より明らかなように、本発明のマイクロ波帯無線送信装置およびマイクロ波帯無線受信装置およびマイクロ波帯無線通信システムおよび電子機器によれば、無線伝送帯域幅を拡大して複数の変調波信号の通信に対応することができるので、例えば屋内等において複数の放送波信号を一度に無線伝送することができる。
【００６６】
また、送信側で、所望信号の中間周波数とレベル制御された基準信号で中間周波数多重信号を生成することができマイクロ波帯(ミリ波帯を含む)に周波数アップコンバートする前の中間周波数帯の段階で付加信号と多重化された変調波信号のレベル比を制御し最適比にコントロールすることができる。このため、受信側での、所望信号を基準信号で周波数ダウンコンバートする第２の周波数ダウンコンバート(検波)時の周波数変換効率(受信感度)を高くすることができ、伝送距離を拡大することができる。
【００６７】
加えて、擬似ヘテロダイン動作構成により、線形動作領域が広くなり伝送距離を十分確保することが可能となる。
【００６８】
加えて、局部発振信号の周波数安定性・位相雑音の影響をキャンセルし、かつアンテナの指向特性も十分利用できるようになると共に、送信側の入力レベルも厳しいレベル制御を必要とせず、性能安定性や使い勝手等が向上するという効果も期待できる。
【発明を実施するための最良の形態】
【００６９】
以下、この発明のマイクロ波帯無線送信装置およびマイクロ波帯無線受信装置およびマイクロ波帯無線通信システムおよび電子機器を図示の実施の形態により詳細に説明する。
【００７０】
(第１実施形態)
図１はこの発明の第１実施形態のマイクロ波帯無線通信システムの概略構成図を示している。
【００７１】
まず、送信側のマイクロ波帯無線送信装置の一例としてのミリ波帯無線送信装置は、周波数配列手段の一例としての基準信号付加・周波数多重回路２と、送信側周波数変換手段の一例としての周波数変換・送信回路３と、局部発振器７と、送信アンテナ４とを備えている。
【００７２】
上記ミリ波帯無線送信装置において、地上波放送用アンテナ１aからの入力変調波信号５aおよび衛星放送用アンテナ１bからの入力変調波信号５bは、基準信号付加・周波数多重回路２に入力され、入力変調波信号５a,５bに基準信号が夫々付加されると同時に、周波数変換により周波数軸上に配列され、２系列の周波数配列信号(中間周波数信号)が生成される。上記２系列の周波数配列信号は、１系列の周波数配列信号として加算され、レベル制御された基準信号が付加されて、第１の中間周波数帯の段階で、中間周波数多重信号７１dを生成し、周波数変換・送信回路３に入力される。そして、中間周波数多重信号７１dは、周波数変換・送信回路３によりミリ波帯に周波数変換されて増幅され、上記周波数変換された夫々の無線多重信号７２は、送信アンテナ４により無線信号として夫々送信される。
【００７３】
一方、マイクロ波帯無線受信装置の一例としてのミリ波帯無線受信装置は、送信側からの無線多重信号を受信する受信アンテナ１４と、上記受信アンテナ１４からの無線多重信号７３を受けて周波数ダウンコンバートする第１の受信側周波数変換手段の一例としての周波数変換・受信回路１１と、上記周波数変換・受信回路１１に局部発振信号を供給する局部発振器８と、第２の受信側周波数変換手段の一例としてのＩＦ増幅・基準信号再生・周波数分離回路１２とを備えている。
【００７４】
上記ミリ波帯無線受信装置において、周波数変換・受信回路１１は、一端、第２の中間周波数帯に変換されて、中間周波数多重信号７４を生成する。上記中間周波数多重信号７４は、夫々の信号をフィルタにより複数の中間信号と基準信号に分波し、かつ分波された基準信号は増幅され、この後、上記基準信号で複数の中間周波数信号を周波数変換することにより、送信側で入力された複数の放送波信号である入力変調波信号５a,５bが再生され、ＴＶ受像機３１中の夫々の複数の衛星放送用／地上波放送用チューナ３０に接続される。
【００７５】
このようなマイクロ波帯無線通信システムの構成において、複数の入力変調波信号に対応できるように無線伝送帯域幅を拡大することができる。
【００７６】
加えて
１)  受信側で、一端、中間周波数帯に周波数ダウンコンバートし、ＩＦ帯で基準信号を再生増幅しかつ上記基準信号で周波数ダウンコンバートするため、つまり受信側も局部発振信号が再生されて擬似的にヘテロダイン動作となる。そのため、送信側で局部発振信号(周波数fLO)と無線信号(周波数fRF)および不要片側波帯信号の出力レベルの厳密なコントロールを必要としない。
【００７７】
２)  受信側のＩＦ帯ダウンコンバータが擬似的なヘテロダイン動作で線形動作するため、ミキサの２倍波高調波成分が問題とならなくなり、かつ、中間周波数帯の所望信号である複数の放送波信号は、夫々分波されて、上記基準信号を局部発振信号として複数の周波数変換器により周波数変換することにより、無線伝送帯域幅をさらに広くすることができる。
【００７８】
３)  加えて、受信側で、一端、中間周波数帯に周波数ダウンコンバートし、中間周波数帯で、所望信号を基準信号で周波数ダウンコンバートする擬似ヘテロダイン動作構成により、線形動作領域が広くなって伝送距離を十分確保することが可能となる。
という効果をもたらすことができる。
【００７９】
図２は、本発明の実施の一形態のマイクロ波帯無線通信システムの詳細構成図を示している。
【００８０】
図２に示すように、マイクロ波帯無線送信装置の一例としてのミリ帯無線送信装置９は、中間周波数変換手段の一例としての２系列の周波数変換回路２a,２bと、基準信号源２cと、多重信号生成手段の一例としての基準信号付加回路２dと、送信側周波数変換手段の一例としてのミリ波周波数変換回路３ａとを備えている。
【００８１】
上記２系列の周波数変換回路２a,２bと、基準信号源２cと、基準信号付加回路２dで、図１に示す周波数配列手段の一例としての基準信号付加・周波数多重回路２を構成しており、２種の入力信号例えば２種の放送波の入力変調波信号５a,５bを、一端、中間周波数に周波数変換すると同時に、周波数多重かつ基準信号が付加される。
【００８２】
上記周波数変換回路２a,２bは、入力レベルを所望のレベルまで増幅・一定にするための可変アンプ２００と、周波数ミキサ２０１と、バンドパスフィルタ２０２a,２０２bと、第１のＩＦ(中間周波数)アンプ２０３とを有している。上記２系列の周波数変回路２a,２bは、主にバンドパスフィルタ２０２a,２０２bの通過帯域が夫々異なっている。これは、上記２系列の入力変調波信号５a(周波数fIF1a),５b(周波数fIF1b)を、それぞれ可変アンプ２００によりあるレベルまで増幅した後、基準信号源２c(周波数FLO1)を用いて中間周波数ミキサ２０１で第１の中間周波数帯に変換するとき、図３(a),(b)に示すようにバンドパスフィルタ２０２a,２０２bにより、入力変調波信号５aの系では基準信号に対する上側波帯として配列し、もう一方の入力変調波信号５bの系では基準信号に対する下側波帯として配列する。
【００８３】
配列された第１の中間周波数信号は、
入力変調波信号５a系列  ：  FLO1＋fIF1a
入力変調波信号５b系列  ：  FLO1−fIF1b
となる。これら第１の中間周波数帯に配列された信号は、上記第１の中間周波数帯の段階で基準信号付加回路２dによって、基準信号ｆLO1が付加されるとともに、両者２系列の信号はそのまま合成される構成となる。尚、上記基準信号は、アッテネータやアンプ等のレベル制御器９５で、レベル制御される。上記レベル制御器９５は、基準信号源２cと中間周波数ミキサ２０１の間に設けても構わない。この第１実施形態の１例として、レベル制御器９５は、チップ部品の抵抗でT型アッテネ―多やπ型アッテネ―タが構成されている。また、上記基準信号付加回路２dを２つのマイクロ波合成器２０４a,２０４bで構成したが、３信号入力のマイクロ波合成器を用いてもかまわない。これら２入力,３入力合成器の入力ポートは、互いにアイソレーション特性を有したウイルキンソン型合成器が望ましい。これにより各入力ポートに漏れこんでくる信号を抑圧し、各機能回路を正常に動作させることができる。
【００８４】
図４(a)に周波数合成された信号配列を示す。基準信号７１cを中心にして、地上放送波の上側波帯信号７１a(FLO1+fIF1a)と衛星放送波の下側波帯信号７１b(FLO1−fIF1b)が配列されて、中間周波数多重信号７１dが生成される。尚、上記中間周波数多重信号７１d中の所望信号(７１a,７１b)と基準信号７１cは、中間周波数の段階で、夫々の電力レベルを制御とすることができる。これは、入力信号は可変アンプ２０３で制御されると共に、基準信号はレベル制御器９５で制御され、結果的に中間周波数多重信号７１d中の所望信号(７１a,７１b)の電力レベルと基準信号７１cの電力レベルのレベル配分も制御することが可能となり、受信側での第２の周波数変換において、所望中間周波数信号(７５a,７５b)を基準信号７５cで周波数ダウンコンバート(検波)するとき、所望中間周波数と基準信号の最適配分比に合わせることが可能となり、周波数変換効率(受信感度)を高めて無線伝送距離を拡大することができる。
【００８５】
この中間周波数多重信号７１dは、次にミリ波周波数変換回路３ａ(図２に示す)に入力され、局部発振器７,周波数ミキサ３０１によりマイクロ波帯(本実施形態ではミリ波帯)に周波数アップコンバートされた後、バンドパスフィルタ３０２で所望の多重信号が濾波される。そして、上記多重信号をミリ波増幅器３０３で増幅した後、送信アンテナ４によりミリ波帯の無線多重信号７２(図４(b)に示す)として空間に放出される。ここで、送信アンテナ４とミリ波増幅器３０３で送信手段を構成している。尚、望ましい一実施例として周波数ミキサ３０１は、偶高調波ミキサ等のＮ(Ｎは２以上の自然数)次高調波ミキサを用いており、局部発振器７の局部発振周波数を１／Ｎとすることができる。具体的には、この第１実施形態では２次の高調波ミキサとすることによって、局部発振器７の局部発振周波数を１／２とすることができ、周波数安定度の高い送信装置を、ワイアボンディング等の容易な実装で簡易に製作することができる。
【００８６】
上記ミリ波の無線多重信号７２は、図４(b)に示すように、次のような信号周波数配置となる。
基準信号    ：  FLO1＋FLO2
上側波帯信号：  FLO1＋FLO2＋fIF1a
下側波帯信号：  FLO1＋FLO2−fIF1b
【００８７】
次に、受信側について説明する。
【００８８】
図２に示すように、マイクロ波帯無線受信装置の一例としてのミリ帯無線受信装置１０は、受信アンテナ１４と、周波数変換回路１１と、局部発振器８と、信号分配回路１６０と、分波器１７０と、周波数ミキサ１２a,１２bと、増幅器１８０と、増幅器１９５,１９５とを備えている。
【００８９】
上記ミリ帯無線受信装置１０において、受信アンテナ１４により受信されたミリ波の無線多重信号７３は、周波数変換回路１１に入力され、一端低雑音アンプ１１０により増幅された後、ミリ波帯バンドパスフィルタ１１１により濾波された所望信号を、局部発振器８からの局部発振信号(周波数FLO3)を用いて、周波数ミキサ１１２により第２の中間周波数帯に周波数ダウンコンバートして中間周波数多重信号７４とする。ここで、受信アンテナ１４と低雑音アンプ１１０で受信手段を構成している。尚、望ましい一実施例として周波数ミキサ１１２は、偶高調波ミキサ等のＮ(Ｎは２以上の自然数)次高調波ミキサを用いており、局部発振器８の局部発振周波数を１／Ｎとすることができる。具体的には、この第１実施形態では２次の高調波ミキサとすることによって、局部発振器８の局部発振周波数を１／２とすることができ、周波数安定度の高い受信装置を、ワイアボンディング等の容易な実装で簡易に製作することができる。
【００９０】
上記中間周波数多重信号７４は、図５(a)に示すように、次のような信号周波数配置となる。
基準信号      ：  FLO1＋FLO2−FLO3
上側波帯信号  ：  (FLO1＋FLO2−FLO3)＋fIF1a
下側波帯信号  ：  (FLO1＋FLO2−FLO3)−fIF1b
【００９１】
上記中間周波数多重信号７４は、一端、中間周波数アンプ１５０により増幅され、信号分配回路１６０で３分配される。上記信号分配回路１６０は、各出力ポート間でアイソレーション特性を有する２個のウイルキンソン型２分配器１６１,１６２またはウイルキンソン型３分配器で分配されるのが望ましい。これにより、各出力ポートで不要な漏れ信号を抑圧し、各回路を正常動作させることができる。各分配された第３のＩＦ信号は、分波器１７０で、上側波帯信号、基準信号、下側波帯信号のそれぞれ所望周波数のみに分波される。図５(b)に示すように、バンドパスフィルタ１７１では、上側波帯信号７５aである(FLO1＋FLO2−FLO3)＋fIF1aを濾波し、バンドパスフィルタ１７２では、基準信号７５cである(FLO1＋FLO2−FLO3)を濾波し、バンドパスフィルタ１７３では、下側波帯信号７５bである(FLO1＋FLO2−FLO3)−fIF1bを濾波する。上記基準信号７５cは、一端増幅器１８０により増幅・２分配され、周波数ミキサ１９０a,１９０bの局部発振信号となる。上記分波された上側波帯信号７５a,下側波帯信号７５bは、周波数ミキサ１９０a,１９０bにより上記基準信号７５cを用いて周波数ダウンコンバートして、送信側の入力変調波信号５a,５bを再生する。この再生された入力変調波信号７６a,７６bは、一端、増幅器１９５でそれぞれ増幅され、出力端子５００a,５００bを介してＴＶ受像機３１中の衛星放送用／地上波放送用チューナ３０に接続される。ここで、第２の中間周波数信号から、複数の放送波を再生された信号は、次のような過程で得られる。
・上側波帯信号から入力変調波５a(地上放送波)の再生(周波数変換)：
((FLO1＋FLO2−FLO3)＋fIF1a))−(FLO1＋FLO2−FLO3)    から  fIF1a
・下側波帯信号から入力変調波５b(衛星放送波)の再生(周波数変換)：
(FLO1＋FLO2−FLO3)−((FLO1＋FLO2−FLO3)−fIF1b)    から  fIF1b
【００９２】
以上のような過程から複数の放送波の入力変調波信号が得られるため、基準信号７５cを増幅する増幅器１８０で電力レベルを高くすることにより、周波数ミキサ１２a,１２bを線形動作させることができる。この増幅器１８０が、ＡＬＣ(レベル自動制御機能)やＡＧＣ(自動可変利得機能)を有したアンプや、一定レベル出力を実現する注入増幅器等や、リミッタ付き増幅器であればより望ましい。
【００９３】
ここで、
１)  受信側で、一端、周波数ダウンコンバートし、ＩＦ帯で基準信号を再生増幅し、かつ上記基準信号でさらに周波数ダウンコンバートするため、つまり受信側も局部発振信号が再生され、送信側において局部発振信号(周波数fLO)と無線信号(周波数fRF)および不要片側波帯信号の出力レベルの１dBレベルでの厳密なコントロールを必要としない。
【００９４】
２)  また、受信側のＩＦ帯ダウンコンバータでは、周波数分波した複数の周波数変換器で周波数ダウンコンバートするため、無線伝送帯域幅をさらに広くすることができる。
【００９５】
３)  加えて、受信側で、一端、ＩＦ帯に周波数ダウンコンバートし、ＩＦ帯で、基準信号で所望信号を周波数ダウンコンバートする擬似ヘテロダイン動作の構成により、線形動作領域が広くなって伝送距離を十分確保することが可能となる。
という効果も生ずる。
【００９６】
さらに、受信側で再生された基準信号７５cで周波数変換するため、ミリ波の送信側の局部発振器７,受信側の局部発振器８の周波数安定性や位相雑音成分をキャンセルすることが可能となるため、厳密に周波数安定精度を有した局部発振器を必要としない等のメリットも生ずる。
【００９７】
加えて、受信側で最終段の周波数ダウンコンバートで基準信号を再生し、十分パワーレベルの大きい局部発振信号を用いて周波数変換する構成であり、出力レベルの変化が線形動作で緩やかな特性となるため、アンテナの指向性によるレベル変動も緩やかになり、アンテナの指向特性を十分に発揮できるようになる。これは、上記出力レベルが２乗動作特性であれば、アンテナのわずかな受信レベルの変動でも出力レベルが大きく変化し、等価的にアンテナの指向特性が狭くなってしまうのとは大きく異なっている。
【００９８】
なお、上記実施の形態では、入力変調波信号として地上放送波と衛星放送波で説明したが、二つの衛星放送波や、衛星放送波とＣＡＴＶ(Cable Television)信号等の組み合わせであっても構わないし、その他の変調波信号を入力変調波信号としてもよい。
【００９９】
また、上記実施の形態では、他の電子機器と別体に設けたミリ波帯無線送信装置およびミリ波帯無線受信装置について説明したが、ＴＶ、ビデオレコーダ、ＤＶＤ(Digital Versatile Disc)プレーヤ、パーソナルコンピュータ(ＰＣ)、冷蔵庫等の電子機器にこの発明のマイクロ波帯無線送信装置およびマイクロ波帯無線受信装置のうちの少なくとも１つを備えてもよい。
【０１００】
また、この発明のマイクロ波帯無線送信装置およびマイクロ波帯無線受信装置のうちの少なくとも１つを備えた電子機器が、ＨＤＤ(ハード・ディスク・ドライブ)レコーダまたはＤＶＤレコーダとデジタルＴＶチューナを搭載することによって、ＴＶ視聴しながら裏録画等も可能となる。
【０１０１】
また、望ましくは、この発明のマイクロ波帯無線受信装置を例えばノートパソコンや携帯端末などの携帯装置である小型の電子機器に搭載することにより、持ち運び等が可能になり、ワイヤレスで上記電子機器を通して多チャンネルのＴＶ視聴や裏録画が可能となる。
【０１０２】
なお、上記実施形態では、ミリ波帯の無線信号を送受信する無線通信システムについて説明したが、無線信号はミリ波帯に限るものではなく、ミリ波帯を含むマイクロ波の周波数帯域についてこの発明を適用することができる。
【０１０３】
また、上記実施形態では、多重信号生成手段として基準信号付加回路２dによって、周波数変換回路２a,２bからの２系列の信号と基準信号とを合成する構成としたが、複数の周波数変換器の局部発振信号入力端子から出力端子側に漏れる漏れ信号を基準信号として用いた構成としてもよい。この場合、上記周波数変換器の漏れ信号がそのまま基準信号となるため、別途基準信号付加回路を必要とせず、送信回路を簡略化することができる。
【０１０４】
(第２実施形態)
図６はこの発明の第２実施形態のマイクロ波帯無線通信システムの概略構成図を示している。以下、上記第１実施形態のマイクロ波帯無線通信システムと異なるところのみについて説明する。なお、マイクロ波帯無線送信装置の一例としてのミリ帯無線送信装置９は、第１実施形態のミリ帯無線送信装置９と全く同様な構成である。
【０１０５】
一方、マイクロ波帯無線受信装置の一例としてのミリ帯無線受信装置１０は、周波数変換受信回路１１およびＩＦ増幅・基準信号再生・周波数分離回路１２の構成が異なっている。ミリ波帯の無線多重信号７３(図７(a)に示す)が受信アンテナ１４で受信され、低雑音アンプ１１０により増幅された後、周波数ミキサ１１２により第２の中間周波数帯に周波数ダウンコンバートされて中間周波数多重信号７４が生成されるまでは、第１実施形態と同等である。上記第２の中間周波数帯にダウンコンバートされた中間周波数多重信号７４は、２分配器１６１で２分配され、分波回路２７０のバンドパスフィルタ２７１とバンドパスフィルタ２７３により、所望信号は基準信号を含んだ状態で分波される。
【０１０６】
この分波について図７(b)で説明する。上記中間周波数多重信号７４には、複数の変調信号と基準信号を含んでいるため、バンドパスフィルタ２７１とバンドパスフィルタ２７３により、基準信号７５cと所望信号(上側波帯信号２７５a)の一対の複合信号と、基準信号７５cと所望信号(下側波帯信号２７５b)の一対の複合信号とに分波される。一方、２つに分波された複合信号は、基準信号と所望信号(２７５a,２７５b)から成り、下側波複合信号の一例としての基準信号７５cと下側波帯信号２７５b、および、上側波複合信号の一例としての基準信号７５cと上側波帯信号２７５aは、夫々マイクロ波トランジスタ等の非線型デバイスで周波数ダウンコンバートされる。上記第１実施形態では、ＲＦ端子・ＬＯ端子・ＩＦ端子を有する３端子系の周波数ミキサにより周波数変換を行ったが、この第２実施形態では、入力側でＲＦ端子とＬＯ端子を共通にし、出力側にＩＦ端子を有した２端子系周波数ミキサ２１２a,２１２bを構成し、複合信号中の所望信号を基準信号で周波数変換することによって周波数ダウンコンバートする構成とする。つまり、本構成では、２分配され濾波された、(１)基準信号７５cと上側波帯信号２７５a、および、(２)基準信号７５cと下側波帯信号２７５bは、夫々の上記２端子系周波数ミキサ２１２a,２１２bに入力され、所望信号(２７５a,２７５b)が基準信号７５cで周波数ダウンコンバートされて、送信側で入力された入力変調波信号７６a,７６bを夫々再生成することができる。
【０１０７】
尚、上記２端子系周波数ミキサ２１２a,２１２bで周波数ダウンコンバートする動作は、第１実施形態の３端子型の周波数ミキサと同様であり、本構成で得られる効果は、第１実施形態とほぼ同じである。しかしながら、中間周波数信号７４の段階から、入力変調波信号を再生成するために周波数ダウンコンバートする段階で、本周波数ダウンコンバートに関して、入力・出力特性の線形性は、第１実施形態の３端子構成でのミキサ動作特性の方が、局部発振信号を擬似的に生成し大信号でミキサを駆動するため、幾分線形動作特性に優れるものの、構成は、第２の中間周波数段階で、基準信号７５cを周波数変換のためのＬＯ分離再生する構成が不要であり、２端子系周波数ミキサで周波数変換できるため、この第２実施形態の方が、よりシンプルな構成で部品点数少なく構成することができる。
【０１０８】
ここで用いた２端子系周波数ミキサは、ＨＥＭＴ(High Electron Mobility Transistor：電子移動度トランジスタ)やＨＢＴ(Heterojunction Bipolar Transistor：ヘテロ接合バイポーラトランジスタ)等のマイクロ波トランジスタでの非線型デバイスで構成され、一例として、上記複合信号を、上記ＨＥＭＴのゲートから入力するゲートミキサを構成することにより、低損失の周波数変換が可能となる。この周波数変換において、ミリ波の無線多重信号７３を第１の周波数ダウンコンバートにより中間周波数帯の上側波帯信号,下側波帯信号としているため、上記２端子系周波数ミキサに入る周波数は中間周波数信号となり周波数が低周波となっている。そのため、ＨＥＭＴ等のマイクロ波トランジスタの利得を利用することができ、高効率の周波数変換特性を得ることができ、高い受信感度特性を得ることができる。
【０１０９】
(第３実施形態)
図８はこの発明の第３実施形態のマイクロ波帯無線通信システムの概略構成図を示している。マイクロ波帯無線送信装置の一例としてのミリ帯無線送信装置９、および、マイクロ波帯無線受信装置の一例としてのミリ帯無線受信装置１０は、上記第２実施形態と全く同様の構成であるが、ミリ帯無線送信装置９では、２系列の周波数変換回路２b中のフィルタ２０２bの通過特性が異なる。
【０１１０】
図９(a),(b)に２系列の中間周波数変換による周波数配列の違いを示している。つまり、入力変調波信号５a,５bのどちらの信号も、基準信号fLO1に対して上側波を用いる配置となっている。つまり、この第３実施形態では、基準信号fLO1に対してどちらも上側の中間周波数帯にある上側波帯信号７１a,７１bに周波数変換されるが、そのとき、入力変調波信号５aと５bの周波数帯は、異なっている。一例として、入力変調波信号５aは４７０ＭＨz〜７７０ＭＨzの地上放送波信号を、一方、入力信号５bには衛星放送波(の中間周波数)信号の１０００ＭＨz〜２１００ＭＨzの信号を割り当てた場合について示している。ここでは、入力変調波信号５aと入力変調波信号５bは、周波数が重複することなく、基準信号fLO1で中間周波数変換された信号である上側波帯信号７１aおよび７１bも、周波数が重複することなく基準信号fLO1に対して両者とも上側波帯として周波数配列され、その後、基準信号fLOと加算することにより、中間周波数多重信号７１d(図８に示す)を生成する構成である。上記中間周波数多重信号７１dはミリ波帯に周波数アップコンバートされ、送信アンテナ４から送信される無線多重信号７２の配列も無線基準信号fLO1＋fLO2に対して、所望無線信号は、両者上側波帯信号であるfLO1＋fLO2＋fIF1a、およびfLO1＋fLO2＋fIF1bとして配列される構成となっている。
【０１１１】
なお、ミリ帯無線送信装置９の入力基準信号付加・周波数多重回路２は、本実施形態では２系列の周波数変換回路２a,２bとして説明したが、この第３実施形態の場合は、基準信号fLO1に対して上側波対または下側波帯のどちらかを使用する構成のため(説明では上側波帯で説明)、入力信号５a,５bは入力基準信号付加・周波数多重回路２の前段で、信号合成器(図示なし)を用いて夫々の信号を合成した周波数多重信号とし、1系列の周波数変換回路２aのみで、周波数変換し、基準信号７１cを付加するような構成であっても構わない。但し、この場合は、入力信号が周波数多重され、広帯域信号となるため、周波数変換回路２aはバランス型ミキサ等で歪みを低減するような構成とすることが望ましい。
【０１１２】
一方、ミリ帯無線受信装置１０では、上記第２実施形態と異なるのは、受信アンテナ１４には、上記無線多重信号７２が入力されること(ここでは、受信側に入力された無線多重信号は７３(図１０(a)に示す)として説明している)、および、分波回路３７０のフィルタ３７３の特性が異なっている。この第３実施形態では、基準信号７５cと所望信号(３７５b)の一対の複合信号を構成するために、帯域除去フィルタ３７３となっている。つまり、中間周波多重信号７４は、分配器１６０で２分配され、バンドパスフィルタ３７１により、図１０(b)に示すように、基準信号７５cと上側波帯信号３７５aを組み合わせた一対の複合信号を抽出する一方、帯域除去フィルタ３７３で上側波帯信号３７５aを除去し、図１０(c)に示すように、基準信号７５cと上側波帯信号３７５bを組み合わせた一対の複合信号を抽出する構成となっている点が異なっている。
【０１１３】
第１の周波数ダウンコンバート、第２の周波数ダウンコンバートは、第２実施形態と同様である。
【０１１４】
この第３実施形態では、第２実施形態のメリットに加えて、図１０に示すように、無線基準信号と複数の所望信号を効率的に配列することができ、周波数帯域幅の利用効率をより高くすることが可能となる。
【０１１５】
尚、この第３実施形態の説明では、基準信号fLO1に対して上側波帯信号での周波数配列 として説明したが、基準信号fLO1に対して下側波帯を用いた周波数配列であっても構わない、その際は、フィルタ２０２a,２０２b,３７１,３７３の周波数帯域が適宜変更される。
【０１１６】
(第４実施形態)
図１１はこの発明の第４実施形態のマイクロ波帯無線通信システムの概略構成図を示している。第１〜第３実施形態と異なるところのみについて説明する。第１〜第３実施形態で使用した何れかの同一のミリ波帯無線受信装置１０a,１０bを２個用いて受信装置が構成されている。上記ミリ波帯無線受信装置１０a,１０bからのそれぞれの出力１５aaと１５abが、同じ長さの出力線８０a,８０bを介して、高周波合成器８２aによって合成された後、出力線８３を介してＴＶ受像機３１の衛星放送用／地上波放送用チューナ３０に接続されている。一方、上記ミリ波帯無線受信装置からのそれぞれの出力１５baと１５bbも同様に、同じ長さの出力線８１a,８１bを介して、高周波合成器８２bによって合成され、合成された後に出力線８４を介してＴＶ受像機３１の衛星放送用／地上波放送用チューナ３０に接続される構成である。ここで、ＴＶ受像機３１(例えば衛星放送用／地上波放送用チューナ３０)は、これら出力線８３または８４のどちらかを介して、上記２台のミリ波帯無線受信装置１０a,１０bの電源が供給される構成である。図１１では出力線８４からＤＣ(直流)電源を供給した場合を示している。
【０１１７】
次に、上記マイクロ波帯無線通信システムの動作について説明する。一つの送信機９から、無線多重信号７２が送信され、ミリ波帯無線受信装置１０a,１０bで無線多重信号７３として受信される。ここで、無線多重信号７３は、無線基準信号７３c、無線基準信号７３aと７３bから成る。ミリ波帯無線受信装置１０a,１０bで受信された無線多重信号７３は、送信機９からの無線伝送距離が異なり、ミリ波帯無線受信装置１０aに対する位相角の差で考えると、上記二つのミリ波帯無線受信装置に入力される上記無線多重信号７３の位相が、例えばミリ波帯無線受信装置１０aと比較してミリ波帯無線受信装置１０bに入力される無線多重信号７３の位相とはΔθだけ異なっている。従って、夫々のミリ波帯無線受信装置１０a,１０bに入力される無線多重信号の位相情報は次のようになる。ここでミリ波帯無線送信装置９からの送信時間をtとする。
・ミリ波帯無線受信装置１０aの受信アンテナ１４aへの入力位相：
基準信号          ：  ２π(fLO1＋fLO2)t
無線信号(上側波)  ：  ２π(fLO1＋fLO2+fIF1a)t
無線信号(下側波)  ：  ２π(fLO1＋fLO2−fIF1b)t
さらに、第１の受信側周波数変換によって位相情報は次のように変化する。ここでミリ波帯無線受信装置１０aの第１の周波数変換に用いる局部発振器の周波数fLO3aおよび位相情報をθrxaする。
・ミリ波帯無線受信装置１０aの第１の周波数変換に伴う入力位相角の変化：
基準信号          ：  ２π(fLO1＋fLO2−fLO3a)t−θrxa
無線信号(上側波)  ：  ２π(fLO1＋fLO2+ fIF1a−fLO3a)t−θrxa
無線信号(下側波)  ：  ２π(fLO1＋fLO2−fIF1b−fLO3a)t−θrxa
さらに、第２の受信側周波数変換では、フィルタ手段で抽出された基準信号を局部発振源として、中間周波数の無線信号を周波数変換するため、中間周波数信号の上側波と下側波は、次のように表現することができる。
・無線信号(上側波)：
［２π(fLO1＋fLO2+ fIF1a−fLO3a)t−θrxa］
−［２π(fLO1＋fLO2−fLO3a)t−θrxa］＝fIF1a
・無線信号(下側波)：
［２π(fLO1＋fLO2−fLO3a)t−θrxa］
−［２π(fLO1＋fLO2−fIF1b−fLO3a)t−θrxa］＝fIF1b
となり、受信側出力部１５aaでは無線信号(上側波)fIF1aが得られ、受信側出力部１５abでは無線信号(下側波)fIF1bが得られる。
【０１１８】
一方、ミリ波帯無線受信装置１０b側での位相角の変化は上記の位相角の変化に、一様に伝送距離の差分を△θ1とすると、次のように位相角が変化する。
・ミリ波帯無線受信装置１０aの受信アンテナ１４aへの入力位相：
基準信号          ：  ２π(fLO1＋fLO2)t＋θ1
無線信号(上側波)  ：  ２π(fLO1＋fLO2+fIF1a)t＋θ1
無線信号(下側波)  ：  ２π(fLO1＋fLO2−fIF1b)t＋θ1
さらに、第１の受信側周波数変換によって位相情報は次のように変化する、ここで、ミリ波帯無線受信装置１０bの第１の周波数変換に用いる局部発振器の周波数fLO3bおよび位相角をθrxbとする。
・ミリ波帯無線受信装置１０bの第１の周波数変換に伴う入力位相角の変化：
基準信号          ：  ２π(fLO1＋fLO2−fLO3a)t＋θ1−θrxb
無線信号(上側波)  ：  ２π(fLO1＋fLO2+fIF1a -fLO3b)t＋θ1−θrxb
無線信号(下側波)  ：  ２π(fLO1＋fLO2−fIF1b−fLO3b)t＋θ1−θrxb
さらに、第２の受信側周波数変換では、フィルタ手段で抽出された基準信号を局部発振源として、中間周波数の無線信号を周波数変換する。ここでミリ波帯無線受信装置１０bの第１の周波数変換後の基準信号入力位相角の変化は、
２π(fLO1＋fLO2−fLO3b)t＋θ1−θrxb
となるため、中間周波数信号の上側波と下側波は、次のように表現することができる。
・無線信号(上側波)：
［２π(fLO1＋fLO2+fIF1a-fLO3b)t＋θ1−θrxb］
−［２π(fLO1＋fLO2−fLO3b)t＋θ1−θrxb］＝fIF1a
・無線信号(下側波)：
［２π(fLO1＋fLO2−fLO3b)t＋θ1−θrxb］
−［２π(fLO1＋fLO2−fIF1b−fLO3b)t＋θ1−θrxb］＝fIF1b
となり、受信側出力部１５abでは無線信号(上側波)fIF1aが得られ、受信側出力部１５bbでは無線信号(下側波)fIF1bが得られ、ミリ波帯無線受信装置１０bによる出力位相は、ミリ波帯無線受信装置１０aの出力位相と同位相出力が得られる。
【０１１９】
従って、ミリ波帯無線受信装置１０a,１０bの出力を同じ長さの出力線を介して合成することによって、簡単に同相合成することができる。従って、受信出力レベルを増大することができ、かつ、空間ダイバーシティ効果も合わせて得ることが可能となる。
【０１２０】
上記第４実施形態のマイクロ波帯無線通信システムでは、複数台のミリ波帯無線受信装置に入力される上記無線多重信号の無線伝送路の長さは異なるが、上記ミリ波帯無線受信装置の中間周波数帯の段階、つまり基準信号再生・周波数分離段階において、再生された基準信号と、中間周波数信号には、伝送距離に関し、同じ位相情報が含まれている。つまり、第２の周波数変換手段において、上記基準信号で上記中間周数信号をダウンコンバートするとき、周波数変換された信号には、無線伝送区間には距離情報はキャンセルされてしまうため、上記複数台のミリ波帯無線受信装置の受信出力はミリ波帯無線受信装置の出力の出力線が同じ長さであれば、同相で合成することができる。これにより、受信出力を増大させることができ、結果的に受信側で、第２周波数変換時の周波数変換効率(受信感度)を高くすることができ、伝送距離を拡大することができる。加えて、上記ミリ波帯無線受信装置中のアンテナ部分が人体・物体等で遮られても、少なくとも一つのミリ波帯無線受信装置が送信側から遮断されることなく信号を受けていれば、所望信号を受信することができ、空間ダイバーシティ効果も容易に得ることができる。
【０１２１】
尚、上記第４実施形態に示したマイクロ波帯無線通信システムは、図１２に示すように、ＴＶやパソコン等のフラットパネルディスプレイ４０の両側に、少なくとも１波長(１・λ)以上の距離をおいてミリ波帯無線受信装置１０b,１０bを設置し、ミリ帯無線送信装置９からの無線多重信号を受信することによって、より効率的なダイバーシティ効果を得ることができる。例えば、上記フラットパネルディスプレイ４０のサイズを１５インチ程度にすることによって人体・物体等でさえぎられても、少なくとも一つのミリ波帯無線受信装置において送信側が遮られることが無いため、連続的に受信することができ、連続的な映像や・データ等を取得することができる。
【図面の簡単な説明】
【０１２２】
【図１】図１はこの発明のマイクロ波帯無線通信システムの概略構成図である。
【図２】図２はこの発明の第１実施形態のマイクロ波帯無線通信システムの構成図である。
【図３】図３は上記第１実施形態の送信側・受信側の複数の入力変調波信号と第１および第２の中間周波数帯での各系列で周波数配置を示す図である。
【図４】図４は上記第１実施形態の送信側での第１の中間周波数帯での中間周波数多重信号の周波数配置と、無線多重信号の周波数配置を示す図である。
【図５】図５は上記第１実施形態の受信側で受信された無線多重信号の周波数配置と第２の中間周波数帯での中間周波数多重信号の周波数配置およびフィルタ特性とを示す図である。
【図６】図６はこの発明の第２実施形態のマイクロ波帯無線通信システムの構成図である。
【図７】図７は第２実施形態の受信側で受信された無線多重信号の周波数配置と第２の中間周波数帯での中間周波数多重信号の周波数配置およびフィルタ特性とを示す図である。
【図８】図８はこの発明の第３実施形態のマイクロ波帯無線通信システムの構成図である。
【図９】図９は上記第３実施形態の送信側・受信側の複数の入力変調波信号と第１および第２の中間周波数帯での各系列で周波数配置を示す図である。
【図１０】図１０は上記第３実施形態の受信側で受信された無線多重信号の周波数配置と第２の中間周波数帯での中間周波数多重信号の周波数配置およびフィルタ特性とを示す図である。
【図１１】図１１はこの発明の第４実施形態のマイクロ波帯無線通信システムの構成図である。
【図１２】図１２は上記第４実施形態のマイクロ波帯無線通信システムの使用形態を示す図である。
【図１３】図１３は従来のマイクロ波帯無線通信システムの構成図である。
【図１４】図１４は上記マイクロ波帯無線通信システムの無線周波数帯での多重信号の周波数配置を示す図である。
【符号の説明】
【０１２３】
１a…地上波放送用アンテナ
１b…衛星放送用アンテナ
２…基準信号付加・周波数多重回路
２a,２b…周波数変換回路
２c…基準信号源
２d…基準信号付加回路
３…周波数変換・送信回路
４…送信アンテナ
５a,５b…入力変調波信号
７,８…局部発振器
９…ミリ波帯無線送信装置
１０…ミリ波帯無線受信装置
１１…周波数変換・受信回路
１２…ＩＦ増幅・基準信号再生・周波数分離回路
１２a,１２b…周波数ミキサ
１４,１４a,１４b…受信アンテナ
１５a,１５b,５００a,５００b,１５aa,１５ab,１５ba,１５bb…出力端子
３０…衛星放送用／地上波放送用チューナ
３１…ＴＶ受像機
７１a…上側波帯信号
７１b…下側波帯信号
７１c…基準信号
７１d…中間周波数多重信号
７２…無線多重信号
７３…無線多重信号
７４…中間周波数多重信号
７５a…上側波帯信号
７５b…下側波帯信号
７５c…基準信号
７６a,７６b…入力変調波信号(受信側)
８０a,８０b…出力線
８１a,８１b…出力線
８２a,８２b…高周波合成器
８３…出力線
８４…出力線
９５…レベル制御器
１６０…分配回路
１７０,２７０,３７０…分波回路
１７１,１７２,１７３…バンドパスフィルタ
１８０…増幅器(２分配機能を備えた増幅器)
２００…可変アンプ
２０１…周波数ミキサ
２０２a,２０２b…バンドパスフィルタ
２０３…ＩＦ(中間周波数)アンプ
２０４a,２０４b…マイクロ波合成器
２１２a,２１２b…周波数ミキサ
２７１,２７３…バンドパスフィルタ
２７５a…上側波帯信号
２７５b…下側波帯信号
３０１…周波数ミキサ
３０２…バンドパスフィルタ
３０３…ミリ波増幅器
３７１…バンドパスフィルタ
３７５a,３７５b…上側波帯信号
３７３…帯域除去フィルタ
【図１】
2005039762.tif 000003
【図２】
2005039762.tif 000004
【図３】
2005039762.tif 000005
【図４】
2005039762.tif 000006
【図５】
2005039762.tif 000007
【図６】
2005039762.tif 000008
【図７】
2005039762.tif 000009
【図８】
2005039762.tif 000010
【図９】
2005039762.tif 000011
【図１０】
2005039762.tif 000012
【図１１】
2005039762.tif 000013
【図１２】
2005039762.tif 000014
【図１３】
2005039762.tif 000015
【図１４】
2005039762.tif 000016